(57)【特許請求の範囲】
【請求項１】
入口に連通する復水貯留部と出口に連通する復水排出部とにケーシング内部を気密状に二分すると共に、復水貯留部と復水排出部に連通する弁口が貫設され、復水貯留部に収容されて復水の増減に応じ弁口を開閉するフロート弁を備えた仕切壁と、ケーシングとを周方向で相互に相対回転可能に設け、仕切壁は復水排出部側の壁面中心に復水排出部より外方突出する支軸を設け、該支軸の突端を固定手段にて復水排出部外側に固定して成り、支軸の突端面にフロート弁の天地がわかる目印を設けたことを特徴とするフロート式スチームトラップ。
【請求項２】
ケーシングは、内部空間を復水貯留部とする弁箱と、該弁箱内部に向き合う内側が陥没形成された凹状空間を復水排出部とし、固定手段によって仕切壁を着脱自在に備えた蓋体とを接合して成ることを特徴とする請求項１記載のフロート式スチームトラップ。
【発明の詳細な説明】
【技術分野】
【０００１】
本発明は、フロート式スチームトラップに関する。
【背景技術】
【０００２】
従来、この種のトラップは、そのケーシング内に先端にフロートを備えたレバーの基端部を枢支し、該レバー基端に弁口を開閉する弁体を取付けて成り、復水の増減によるフロートの上下動により弁体が弁口を開閉して復水を外部へ排出する様に成している（例えば、特許文献１参照）。
【先行技術文献】
【特許文献】
【０００３】
【特許文献１】実公昭５０−２７６２５号公報
【発明の概要】
【発明が解決しようとする課題】
【０００４】
しかしながら、上記構成のトラップは、フロートが復水の増減で上下動する構成であるため、フロートを支持するレバーの上下揺動が可能となる様にその天地が定められており、配管するにあたっては、その取付け姿勢が限定される。
したがって、取付け位置近傍に併設される他の配管、機器類や壁等に近接又は接触しない様に周辺機器及び取付け場所等との調和を図るだけでなく、更に限定されるその取付け姿勢を考慮して配管せねばならず、作業が一層面倒で作業効率が悪いといった不具合を有していた。
【課題を解決するための手段】
【０００５】
上記課題に鑑み、本発明のフロート式スチームトラップは、入口に連通する復水貯留部と出口に連通する復水排出部とにケーシング内部を気密状に二分すると共に、復水貯留部と復水排出部に連通する弁口が貫設され、復水貯留部に収容されて復水の増減に応じ弁口を開閉するフロート弁を備えた仕切壁と、ケーシングとを周方向で相互に相対回転可能に設け、仕切壁は復水排出部側の壁面中心に復水排出部より外方突出する支軸を設け、該支軸の突端を固定手段にて復水排出部外側に固定して成り、支軸の突端面にはフロート弁の天地がわかる目印を設けたことを特徴とする。
又、ケーシングは、内部空間を復水貯留部とする弁箱と、該弁箱内部に向き合う内側が陥没形成された凹状空間を復水排出部とし、固定手段によって仕切壁を着脱自在に備えた蓋体とを接合して成るのがより良い。
【発明の効果】
【０００６】
要するに本発明は、入口に連通する復水貯留部と出口に連通する復水排出部とにケーシング内部を気密状に二分すると共に、復水貯留部と復水排出部に連通する弁口が貫設され、復水貯留部に収容されて復水の増減に応じ弁口を開閉するフロート弁を備えた仕切壁と、ケーシングとを周方向で相互に相対回転可能に設けたので、フロート弁による弁口の開閉に支障が無い様に、そのフロート弁の正しい体裁を常に保持すべく、フロート弁が備えられた仕切壁に対しケーシングを３６０度自由に回転できる。
よって、ケーシングの入口と出口を配管接続可能な方向へ難なく指向させられ、配管接続できるため、配管に対する据付けが簡便で、スムーズに配管作業を進行でき、その作業効率を飛躍的に向上できる。
【０００７】
仕切壁は復水排出部側の壁面中心に復水排出部より外方突出する支軸を設けたので、配管への設置に際しては、支軸を中心にしてケーシングを回転させることにより、簡単容易に入口と出口の夫々を接続対象の配管に指向させられ、その後は、支軸の突端を固定手段にて復水排出部外側に固定すれば、配管接続時及び使用状態で仕切壁が勝手に回転することがなく、フロート弁を常に正常に動作させられる。
【０００８】
支軸の突端面にフロート弁の天地がわかる目印を設けたので、外部から確認できなくても、正確にして確実にフロート弁の正常な体裁が目印によって判断され、支軸に対するケーシングの回転作業が確実にして素早く行える。
【０００９】
又、ケーシングは、内部空間を復水貯留部とする弁箱と、該弁箱内部に向き合う内側が陥没形成された凹状空間を復水排出部とし、固定手段によって仕切壁を着脱自在に備えた蓋体とを接合して成るので、概ね、弁箱、フロート弁を備えた仕切壁と蓋体の三大構成要素を組み付けるだけで、簡単容易に本発明に係るフロート式スチームトラップを構成できる等その実用的効果甚だ大である。
【図面の簡単な説明】
【００１０】
【図１】本発明に係るフロート式スチームトラップの正面図である。
【図２】蓋体と仕切壁を除いた状態の弁箱の正面図である。
【図３】図１のＡ−Ａ断面図である。
【図４】図１のＢ−Ｂ断面図である。
【図５】図１の状態から支軸に対しケーシングを９０度回転した状態の正面図である。
【図６】図５において蓋体と仕切壁を除いた状態の弁箱の正面図である。
【図７】図５のＣ−Ｃ断面図である。
【図８】図５のＤ−Ｄ断面図である。
【発明を実施するための形態】
【００１１】
以下本発明の実施の一形態例を図面に基づいて説明する。
本発明に係るフロート式スチームトラップは、ケーシング１内に復水の増減に応じ開閉弁するフロート弁２を収容している。
【００１２】
ケーシング１は、一側方が円筒状に開口された横手に長い弁箱３と、該弁箱３の開口部3aを気密状に閉塞する蓋体４とから成る。
弁箱３における開口部側周壁3bの適所（図示例では開口部の直径線上）には、上流管（図示せず）に接続される入口５と下流管（図示せず）に接続される出口６とが配置されている。
蓋体４は弁箱３内部に向き合う内側が凹状に陥没形成され、蓋体４と弁箱３とはボルト７、7a…によって接合固定されている。
【００１３】
ケーシング１内部は、弁箱開口部3aに内接配置した円板状の仕切壁８にて、入口５が直接に連通する弁箱３の洞穴状の内部空間（以下、復水貯留部９と称する。）と、弁箱３の開口部側周壁3bと蓋体４の内側周面の適所に穿設された連通路10、10ａを介して出口６が連通する蓋体４内側の凹状空間（以下、復水排出部11と称する。）とに気密状に二分している。
【００１４】
仕切壁８は、復水排出部11側の壁面中心に復水排出部11より外方突出することにて蓋体４中心を貫通する支軸12を設けている。
そして、仕切壁８とケーシング１（弁箱３及び蓋体４）とは支軸12を中心に周方向で相互に相対回転可能に設けている。
【００１５】
支軸12の突端は、固定手段13となるロックナットにて復水排出部11外側、即ち蓋体４の外側中心に固定され、固定手段（ロックナット）13の締め外しによって仕切壁８を蓋体４に着脱自在と成している。
【００１６】
又、仕切壁８は下部に復水貯留部９と復水排出部11に連通する弁口14が貫設されると共に、復水貯留部９に収容されて復水の増減に応じ弁口14を開閉するフロート弁２を備えている。
フロート弁２は、球形のフロート15を先端に固定したレバー16の基端側を下方垂直に屈曲して仕切壁８に対向配置し、該基端側において、仕切壁８との対向面には、その中央に半球状の弁体17を突設すると共に、該弁体17より上方左右に支持片18、18ａを突設している。
【００１７】
そして、弁口14の復水貯留部９側を仕切壁８の壁面より突出形成し、その開口部周囲に弁体17が着離する弁座19を形成し、仕切壁８において、弁座19の左右上方に設けた突片20、20ａの内側にレバー16の支持片18、18ａを重ね合わせて、該支持片18、18ａ及び突片20、20ａを支持ピン21で横貫することにより、レバー16を上下揺動自在にして、且つ弁体17を弁座19に着離自在に設けている。
尚、支軸12の突端適所（図示例では、突端面）にフロート弁２の天地がわかる目印（図示例では上向き矢印）22を設けている。
【００１８】
この様に構成されたフロート弁２は、復水貯留部９内の復水が小量の時には、弁体17が弁座19に着座して閉弁し、復水の増水で水位が設定値より上昇すると、浮上するフロート15によってレバー16が上方揺動し、弁体17が弁座19から離脱して開弁し、復水は弁口14から順に復水排出部11、連通路10ａ、10と経て出口６より下流管へ排出され、この排水により復水の水位が降下することでフロート15が下方揺動して復位し、弁体17を弁座19に着座させて閉弁する。
【００１９】
又、復水貯留部９内において仕切壁８の上部には、復水貯留部９と復水排出部11に連通する空気流通口23を貫設し、復水貯留部９の内部の温度変化に応じ空気流通口23を開閉して低温空気を排出し、蒸気は排出しない空気抜き弁24を備えている。
空気抜き弁24は、上記の様に仕切壁８において復水貯留部９側の壁面上部に取付けられ、復水貯留部９内の低温空気を復水排出部11を通じて外部へ排気して、復水貯留部９内の蒸気を排出しないものであれば、従前の構成から成るもので良く、図中の構成に限定されないのでその具体的説明を省略する。
【００２０】
尚、図中、25は復水弁箱開口部3a内周に配した入口５用の所定メッシュの編み目状スクリーン、26は弁箱３と蓋体４間に介装したガスケット、27は仕切壁８と蓋体４間に介装したガスケット、28は支軸12に周設したＯリングである。
【００２１】
上記の様に構成されたフロート式スチームトラップにあっては、配管への設置に際し、ロックナット13を螺退して支軸12から取り外し、該支軸12に設けた矢印（目印）22を上方垂直に指向させた状態で、その入口５と出口６を配管接続可能な方向へ指向する様にケーシング１を支軸12を中心として回転させる。
例えば、図１〜４に示す状態では入口５と出口６が上下に指向しているが、これを支軸12を中心として９０度回転させることにより、図５〜８に示す様に入口５と出口６を左右に指向させられる。
【００２２】
上記の様にケーシング１が回転しても、その内部に配した仕切壁８は動作せず、該仕切壁８の上下に取付けた空気抜き弁24とフロート弁２も、当然ながらその上下関係が変わることはないし、入口５と出口６の向きが変わるが、復水及び空気の流通経路（入口５、復水貯留部９、空気流通口23、弁口14、復水排出部11、連通路10、10ａ及び出口６）も変わらない。
よって、フロート弁２におけるフロート15及びレバー16が上下に揺動して支障なく弁口14を開閉できる様に、正しい体裁が常に保持される。
次に、ロックナット13を支軸12に螺着して締め付けることにより、ケーシング１と仕切壁８を相互に回転不能状態とし、ケーシング１の上記回転によって方向が変換された入口５と出口６を上流管と下流管に接続することで、配管へのケーシング１の据付け作業が完了する。
【符号の説明】
【００２３】
１  ケーシング
２  フロート弁
３  弁箱
４  蓋体
５  入口
６  出口
８  仕切壁
９  復水貯留部
11  復水排出部
12  支軸
13  固定手段
14  弁口
22  目印
【図１】
0005183682.tif 000002
【図２】
0005183682.tif 000003
【図３】
0005183682.tif 000004
【図４】
0005183682.tif 000005
【図５】
0005183682.tif 000006
【図６】
0005183682.tif 000007
【図７】
0005183682.tif 000008
【図８】
0005183682.tif 000009